(57)【特許請求の範囲】
【請求項１】
床面に設置される固定フレームと、前記固定フレームに配されたアクチュエータと、前記アクチュエータの動力を受けることにより、前記固定フレームに対して水平状態からリクライニング状態に起き上がり可能に配された上半身寝台部とを有するベッドであって、
前記上半身寝台部は、前記アクチュエータと連結されて傾動する傾動フレームと、前記傾動フレームの上に固定されかつ寝台面を形成するアッパーフレームとを含み、
前記アッパーフレームの前記傾動フレームへの固定が、脱着自在な非ボルト式の結合手段によりなされており、
前記傾動フレームは、ベッド幅方向にのびる基軸部と、前記基軸部に固定されたアーム部とを含み、
前記アッパーフレームは、斜めに傾動させた状態の前記傾動フレームの少なくとも一部と係合し、前記アッパーフレームの重量を前記傾動フレームに支持させるための係合部を具え、
前記係合部は、前記傾動フレームの前記アーム部の先端部分に引っ掛けることができるフック状で構成され、
前記アッパーフレームは、使用者の頭部側に位置する第１フレームと、前記第１フレームと相対移動可能に結合されかつ使用者の腰部側に位置する第２フレームと、前記第１フレームを前記第２フレームに対して昇降動させるリンク機構とを含み、
前記傾動フレームには、前記アッパーフレームが前記固定フレームに固定された状態において、前記リンク機構の一部を押すことにより前記第１フレームを昇降動させる押し部材が設けられていることを特徴とするベッド。
【請求項２】
前記結合手段は、抜け止め機能付きピンを含む請求項１記載のベッド。
【請求項３】
前記押し部材は、前記第１フレームが前記第２フレームから上昇させた後、前記傾動フレームを前記リクライニング状態に傾動させる請求項１又は２記載のベッド。
【発明の詳細な説明】
【技術分野】
【０００１】
本発明は、ベッドに関し、詳しくは、リクライニング機能を具えたベッドに関する。
【０００２】
従来、下記特許文献１で示されるようなリクライニング機能を具えたベッドが種々提案されている、この種のベッドは、例えば、電動モータ等のアクチュエータの動力によって、使用者の上半身が横たえる上半身側寝台部が斜めに起き上がる。このため、使用者は、ベッドに横たえた状態で、食事や読書等を楽しむことができる。
【０００３】
また、下記特許文献１のベッドは、上半身側寝台部が起き上がる際、先ず、頭部側裁置部のみが先行して上昇する。この状態では、頭部載置枠のみが持ち上がるため、使用者は、頭部載置枠を枕のように使用することができる。次に、アクチュエータの動力をさらに加えると、頭部載置部が背中側裁置部から持ち上げられた状態のまま、両者が一体となって上に傾いてリクライニング状態をとる。このようなリクライニング機構は、業界で「ダブルファンクション」とも呼ばれている。
【先行技術文献】
【特許文献】
【０００４】
【特許文献１】特開2014-100183号公報
【発明の概要】
【発明が解決しようとする課題】
【０００５】
ところで、近年では、上述のようなリクライニング機能を有するベッドは、介護用としての需要が増加しており、これに伴い、レンタルやリースとして利用される機会が増加している。従来のリクライニング機能を有するベッドは、上半身寝台部は、前記アクチュエータと連結されて傾動する傾動フレームと、この傾動フレームの上に固定されかつ寝台面を形成するアッパーフレームとを含んでおり、これらは、溶接又はボルト等の結合手段により強固に固定されていた。
【０００６】
一方、ベッドが、レンタルやリースで不特定多数のユーザに利用されるような場合、レンタル会社がベッドを回収した後、ベッドの寝台部分、特に使用者の体と接近しているアッパーフレームだけを取り外して消毒したいような要望がある。
【０００７】
傾動フレームとアッパーフレームとが、例えば溶接されているものは、そもそも分解できず、傾動フレームもまとめて大規模な消毒作業が必要になる。また、傾動フレームとアッパーフレームとがボルトで結合されている場合、複数ある全てのボルトを外してアッパーフレームだけを消毒した後、さらに、これを傾動フレームにボルト締めする作業等が必要であった。従って、従来のリクライニングベッドでは、レンタルやリースで不特定多数のユーザに使用される場合の消毒作業をするために、多くの手間を要するという問題があった。
【０００８】
本発明は、以上のような問題点に鑑み案出なされたもので、傾動フレームとアッパーフレームとを容易に取り外しかつ組立可能としたリクライニング機能付きのベッドを提供することを主たる目的としている。
【課題を解決するための手段】
【０００９】
本発明は、床面に設置される固定フレームと、前記固定フレームに配されたアクチュエータと、前記アクチュエータの動力を受けることにより、前記固定フレームに対して水平状態からリクライニング状態に起き上がり可能に配された上半身寝台部とを有するベッドであって、前記上半身寝台部は、前記アクチュエータと連結されて傾動する傾動フレームと、前記傾動フレームの上に固定されかつ寝台面を形成するアッパーフレームとを含み、前記アッパーフレームの前記傾動フレームへの固定が、脱着自在な非ボルト式の結合手段によりなされていることを特徴とする。
【００１０】
本発明の他の態様では、前記結合手段は、抜け止め機能付きピンを含むことができる。
【００１１】
本発明の他の態様では、前記アッパーフレームは、斜めに傾動させた状態の前記傾動フレームの少なくとも一部と係合し、前記アッパーフレームの重量を前記傾動フレームに支持させるための係合部を具えることができる。
【００１２】
本発明の他の態様では、前記アッパーフレームは、使用者の頭部側に位置する第１フレームと、前記第１フレームと相対移動可能に結合されかつ使用者の腰部側に位置する第２フレームと、前記第１フレームを前記第２フレームに対して昇降動させるリンク機構とを含み、前記傾動フレームには、前記アッパーフレームが前記固定フレームに固定された状態において、前記リンク機構の一部を押すことにより前記第１フレームを昇降動させる押し部材が設けられても良い。
【００１３】
本発明の他の態様では、前記押し部材は、前記第１フレームが前記第２フレームから上昇させた後、前記傾動フレームを前記リクライニング状態に傾動させることができる。
【発明の効果】
【００１４】
本発明のベッドによれば、上半身寝台部は、アクチュエータと連結されて傾動する傾動フレームと、傾動フレームの上に固定されかつ寝台面を形成するアッパーフレームとを含んでおり、アッパーフレームの傾動フレームへの固定が、脱着自在な非ボルト式の結合手段によりなされていることを特徴としている。従って、本発明のベッドによれば、傾動フレームとアッパーフレームとを容易に取り外し及び組み立てることができ、例えば、アッパーフレームだけを能率良くベッドから取り外して消毒等することができる。
【図面の簡単な説明】
【００１５】
【図１】本発明の一実施形態に係るベッドの水平状態の斜視図である。
【図２】本発明の一実施形態に係るベッドのリクライニング状態の斜視図である。
【図３】上半身側寝台部の要部側面図である。
【図４】上半身側寝台部の要部拡大斜視図である。
【図５】上半身側寝台部を底面側から見た要部拡大斜視図である。
【図６】本実施形態のアッパーフレームの側面図である。
【図７】抜け止め機能付きピンの一例を示す斜視図である。
【図８】持ち上げられた傾動フレームと、それに保持されたアッパーフレームの側面図である。
【図９】傾動フレームとそれに保持されたアッパーフレームの側面図であり、水平状態を示す。
【図１０】傾動フレームとそれに保持されたアッパーフレームの側面図であり、第１フレームを持ち上げた状態を示す。
【発明を実施するための形態】
【００１６】
以下、本発明の実施の一形態が、図面に基づき説明される。
図１には、本実施形態のベッド１の水平状態の斜視図が示されており、図２には、そのリクライニング状態の斜視図（一部破断図）が示されている。以後、本明細書において、ベッド長手方向、ベッド幅方向及びベッド高さ方向は、それぞれ、図１に示されるｘ、ｙ及びｚの方向を意味している。
【００１７】
図２に示されるように、本実施形態のベッド１は、床面に設置される固定フレーム２と、固定フレーム２に配されたアクチュエータ３と、アクチュエータ３の動力を受けることにより、固定フレーム２に対して水平状態からリクライニング状態に起き上がり可能に配された上半身寝台部４とを有する。本実施形態のベッド１は、実際に利用される際、寝台面の上に、さらにマットレスや敷布団等が載せられる。
【００１８】
図３には、ベッド１の要部拡大分解斜視図が示されている。図３に示されるように、固定フレーム２は、例えば、ベッド長手方向にのびる縦枠２Ａ、ベッド幅方向にのびる横枠２Ｂ等を含む金属製の枠材で構成されている。固定フレーム２の四隅には、床面に載置される脚部５（図１及び図２参照）が設けられている。固定フレーム２は、このような形態以外に、慣例に従って種々の形状で実施され得る。
【００１９】
図３に戻ると、アクチュエータ３は、例えば、電動モータ３Ａと、その回転力によって伸長又は縮小するロッド３Ｂとを有する電動シリンダで構成されている。ベッド平面視において、ロッド３Ｂの長手方向は、例えば、ベッド長手方向と平行に配置されている。アクチュエータ３の一端側は、固定フレーム２（例えば横枠２Ｂ）に回動自在に連結されている。アクチュエータ３の他端側は、リクライニング状態を得るために、上半身寝台部４側に回動自在に連結されている。なお、ベッド１には、アクチュエータ３のロッド３Ｂを伸縮させ、上半身寝台部４を水平状態又はリクライニング状態に切り替えるための操作リモコン（図示省略）が設けられている。
【００２０】
図２から明らかなように、上半身寝台部４は、例えば、ベッド長手方向において、ベッドの寝台面の約半分を占める大きさを有している。このような上半身寝台部４は、使用者の上半身を安定的に支持するのに役立つ。また、図３に示されるように、上半身寝台部は、例えば、アクチュエータ３と連結されて傾動する傾動フレーム６と、傾動フレーム６の上に固定されかつ寝台面を形成するアッパーフレーム７とを含んでいる。
【００２１】
図４には、アッパーフレーム７は省略されているが、傾動フレーム６のリクライニング状態が示されている。図３及び図４に示されるように、傾動フレーム６は、例えば、ベッド幅方向にのびる基軸部９と、基軸部９に固定された例えば一対のアーム部１０と、基軸部９に対して相対回転自在に装着されている押し部材１１とを含んでいる。
【００２２】
基軸部９は、ベッド幅方向ｙに沿ってのびる軸本体９Ａと、軸本体９Ａから半径方向に突出する突部９Ｂとを具えている。
【００２３】
軸本体９Ａは、例えば、その両端側が固定フレーム２に支持されている。本実施形態では、軸本体９Ａは、固定フレーム２の溝型のガイド部材２Ｇに、ベッド長手方向にスライド自在かつベッド幅方向の軸線周りに回動自在に支持されている。
【００２４】
図５には、傾動フレーム６及びアッパーフレーム７をベッドの底面側から見た斜視図が示されている。図５によく表されているように、基軸部９の突部９Ｂは、例えば、軸本体９Ａに固着された一対のブラケット１３と、このブラケット１３、１３の間を継ぐ小軸１４とを具えている。小軸１４は、軸本体９Ａから離れた位置で軸本体９Ａと平行にのびている。
【００２５】
図３及び図４に示されるように、各アーム部１０は、例えば、棒状の金属部材であって、一端が基軸部９に固着されており、かつ、他端が、ベッド長手方向に沿って使用者の頭部側へのびて終端している。本実施形態において、各アーム部１０は、例えば、断面コ字状の枠材からなるが、これに限定されるわけではなく、種々の鋼材が採用可能である。また、本実施形態のアーム部１０は、補助アーム８で支えられている。補助アーム８は、一端が固定フレーム２に、他端が、アーム部１０のリンク長のほぼ中間位置に、それぞれ回動自在に連結されている。
【００２６】
図４及び図５に示されるように、押し部材１１は、例えば、第１片１１Ａと第２片１１Ｂとを有する略く字状のレバーとして構成されている。押し部材１１の略中央部分は、基軸部９に回動自在に軸支されている。また、押し部材１１の第１片１１Ａには、アクチュエータ３のロッド３Ｂが回動自在に連結されている。
【００２７】
さらに、本実施形態の押し部材１１は、前述の一対のブラケット１３、１３の間に配置されており、上半身寝台部４の水平状態において、第１片１１Ａ及び第２片１１Ｂは、小軸１４の前後に位置している。また、第１片１１Ａ及び第２片１１Ｂは、いずれも小軸１４とは非接触に配置されている。
【００２８】
図３及び図４の比較から明らかなように、以上のような構成によれば、アクチュエータ３のロッド３Ｂを伸長させると、先ず、押し部材１１のみが基軸部９に対して相対的に回転する。さらにアクチュエータ３のロッド３Ｂを伸長させることにより、押し部材１１の第１片１１Ａが突部９Ｂ（より具体的には図５に示した小軸１４）に当接し、押し部材１１と基軸部９とは、一体となって回転する。基軸部９が回転することにより、前記アーム部１０は、図３に示す水平な状態から図４に示すように起き上がり、後述するアッパーフレーム７をリクライニング状態に変化させることができる。
【００２９】
図６には、アッパーフレーム７の側面図が示されている。図５及び図６に示されるように、本実施形態のアッパーフレーム７は、第１フレーム１５と、第２フレーム１６と、これらを相対移動可能に連結する連結部１７とを含んでいる。本実施形態のアッパーフレーム７は、２つのフレーム１５及び１６に分割されているが、他の実施形態では、アッパーフレーム７は単一のフレームとして構成されても良い。
【００３０】
第１フレーム１５は、使用者の頭部側に位置しており、平面視横長状の輪郭形状を有する。第２フレーム１６は、使用者の腰部側に位置しており、平面視横長状の輪郭形状を有する。第１フレーム１５は、例えば、第２フレーム１６よりも小さく構成されており、望ましくは、寝台面に横たえる使用者の頭部側のみを支持するような大きさに構成される。このような第１フレーム１５は、上述したダブルファンクションを実現するために用いられる。これについては、後で述べる。
【００３１】
各第１フレーム１５及び第２フレーム１６は、例えば、外周縁に沿って配された金属製の矩形状の枠体１８と、枠体１８が囲む空間に架設された複数の補強材１９と、枠体１８及び補強材１９で支持されかつ枠体１８が囲む空間に配された面材２０とを有する。
【００３２】
補強材１９は、例えば、ベッド長手方向に沿ってのびている。本実施形態では、補強材１９は、傾動フレーム６のアーム部１０と対応する位置に設けられている。換言すれば、ベッド平面視において、アッパーフレーム７を傾動フレーム６に載せた際に、補強材１９は、アーム部１０の上に重なるものを少なくとも含んでいる。本実施形態では、好ましい態様として、補強材１９には、アーム部１０をベッド幅方向の両側から挟み込むような下開放のコ字状の溝を形成するように、一対の突片２２が設けられている。このような形態によれば、アッパーフレーム７を傾動フレーム６の上に単に載せた場合でも、アッパーフレーム７と傾動フレーム６とのベッド幅方向の位置ずれを防ぐことができ、両者の安定的な仮固定を提供するのに役立つ。
【００３３】
面材２０は、枠体１８が囲む空間内で使用者の荷重を支持するための実質的な寝台面を構成するもので、本実施形態では、図１及び図２によく表されているように、金網状のメッシュ材が用いられている。メッシュ材に代えて又はメッシュ材とともに、ウレタンフォームなどの弾性体等が配されても良い。
【００３４】
図６に示されるように、連結部１７は、例えば、第１フレーム１５のベース２４と、第２フレーム１６のベース２６と、これらを上部側で継ぐ上部リンク２８と、下部側で継ぐ下部リンク３０とを有する。第１フレーム１５と第２フレーム１６とが実質的に水平に連続する状態において、上部リンク２８と下部リンク３０とは、例えば、実質的に平行に配置されており、また、上部リンク２８は、下部リンク３０よりも短く構成されている。例えば、下部リンク３０を駆動節として上向きに傾動させることにより、図６に仮想線で示されるように、第１フレーム１５は、第２フレーム１６に対して僅かに傾斜しながら持ち上がる。このような形態は、使用者の頭部のみを、上半身に対して少し浮かせて支持し、枕のような機能を上半身寝台部４に提供するのに役立つ（ダブルファンクション）。
【００３５】
図５に示されるように、本実施形態のアッパーフレーム７は、例えば、脱着自在な非ボルト式の結合手段１２により、傾動フレーム６へ固定されていることが望ましい。脱着自在な非ボルト式の結合手段１２は、ボルト結合のように相当回数の連続した締め付け動作なしに、２つのフレーム６及び７を固定しうるものであれば、種々のものが採用できる。
【００３６】
上記結合手段１２としては、例えば、図７に示されるように、抜け止め機能付きピンが好適に利用できる。
【００３７】
抜け止め機能付きピンは、ピン本体３２と、ピン本体３２に脱着自在なスナップピン３３とを含んでいる。ピン本体３２は、外径の大きい頭部３２Ａと、それよりも小径の軸部３２Ｂとからなる。軸部３２Ｂの自由端側には、軸部３２Ｂを直径方向に貫通する穴３２Ｃが形成されている。スナップピン３３は、略Ｕ字状に折り曲げられた金属材からなり、一辺３３Ａ側は、前記穴３２Ｃに挿入可能な直線部からなり、他辺３３Ｂ側は、ピン本体３２の軸部３２Ｂの外周部に沿って密着するように略半円状に湾曲している。
【００３８】
ピン本体３２は、アッパーフレーム７及び傾動フレーム６をともに貫通するような貫通孔に差し込まれる。図５に示されるように、本実施形態において、傾動フレーム６側には、第１貫通穴３５が形成されており、アッパーフレーム７側には、第２貫通穴３６が形成されている。第１貫通穴３５と第２貫通穴３６とは、アッパーフレーム７と傾動フレーム６とが正しく位置決めされたたときに、互いに一致するように形成されている。また、第１貫通穴３５及び第２貫通穴３６は、ピン本体３２の頭部３２Ａよりも小さくかつ軸部３２Ｂよりも大きい内径を有する。本実施形態の第１貫通穴３５は、軸線が水平となるように、傾動フレーム６の各アーム部１０の側面に形成されている。本実施形態の第２貫通穴３６は、軸線が水平となるように、第２フレーム１６の補強材１９に設けられた突片２２に形成されている。
【００３９】
図８に示されるように、例えば、少し傾動させた傾動フレーム６に対して、アッパーフレーム７が正しく位置決めされた後、ピン本体３２は、第１貫通穴３５及び第２貫通穴３６に差し込まれる。アッパーフレーム７及び傾動フレーム６を貫通してそこから飛び出したピン本体３２の穴３２Ｃに、スナップピン３３の他辺３３Ｂを弾性変形させながらスナップピン３３の一辺３３Ａが差し込まれ固定される。これにより、ピン本体３２は、その軸方向の移動に関して、一方が頭部３２Ａで、他方がスナップピン３３でそれぞれ拘束される。これにより、ピン本体３２は、アッパーフレーム７及び傾動フレーム６からの安易な抜け落ちが防止される。従って、本実施形態のベッド１によれば、アッパーフレーム７と傾動フレーム６とは、きわめて容易に固着することができる。なお、結合手段１２は、アッパーフレーム７と傾動フレーム６とを安定的に固定するために、複数個設けられているのが望ましい。
【００４０】
また、アッパーフレーム７を傾動フレーム６から取り外す場合には、先ず、スナップピン３３を弾性変形させながら、ピン本体３２から引き抜かれる。次に、第１貫通穴３５及び第２貫通穴３６からピン本体３２をその頭部３２Ａ側に引き抜く。全てのピン本体３２が引き抜かれることにより、傾動フレーム６とアッパーフレーム７との固着が解かれ、アッパーフレーム７を容易に取り外すことができる。
【００４１】
以上のように、本実施形態のベッド１は、その寝台部分、特に使用者の体と接近しているアッパーフレーム７だけを素早くかつ簡単に取り外すことができるので、例えば、アッパーフレーム７に対して、レンタル後の消毒作業や清掃作業等を能率的に行うことができる。また、アッパーフレーム７は、メンテナンス後、きわめて簡単に傾動フレーム６に固着して組み立てることができる。
【００４２】
上記実施形態では、結合手段１２として、ピン本体３２とスナップピン３３からなるものが示されたが、同様の機能を実現しうるものであれば、種々の態様に変更して実施することができる。例えば、ピン本体３２の頭部と反対側の端部に、出没自在なボールを具えたいわゆるボールロックピンを用いることができる。この場合、スナップピンの抜き差し作業を無くすことができ、さらにアッパーフレームの分解、組立が容易になる。また、他の結合手段１２として、約９０°程度の軸周りの回転で固定可能な汎用ワンタッチネジなども用いることができる。
【００４３】
アッパーフレーム７は、主に金属材料を用いて構成されているため、比較的大きな重量を有する。そのため、アッパーフレーム７の分解、取付作業をさらに能率化することは重要である。本実施形態のアッパーフレーム７には、図８に示されるように、例えば、斜めに傾動させた状態の傾動フレーム６の少なくとも一部と係合する係合部４０を具えている。本実施形態の係合部４０は、傾動フレーム６のアーム部１０の先端部分に引っ掛けることができるフック状で構成されている。係合部４０を傾動フレーム６に係合させることで、アッパーフレーム７の重量は、傾動フレーム６に支持させることができる。また、上記係合部４０を支点としてアーム部１０に対してアッパーフレーム７を傾動させることで、第１貫通穴３５と第２貫通穴３６とが実質的に一致するように、両部材を正しく位置決めすることができる。従って、アッパーフレーム７及び傾動フレーム６の分解乃至組立時の労力がより一層軽減される。
【００４４】
図５及び図６に示されるように、本実施形態のアッパーフレーム７には、リンク機構５０が設けられている。このリンク機構５０は、第１フレーム１５を第２フレーム１６に対して昇降動させるために機能する。本実施形態のリンク機構５０は、例えば、第１リンク５１と、第２リンク５２と、スライダー５３と、レバー５４とを含む。
【００４５】
第１リンク５１は、例えば、一端が、第２フレーム１６の補強材１９に、ベッド幅方向の軸線回りで回動自在に連結されている。
【００４６】
第２リンク５２は、一端が、ベッド幅方向の軸線を有する連結ピン５５で第１リンク５１に回動自在に連結され、他端が、ベッド幅方向の軸線回りでスライダー５３に回動自在に連結されている。
【００４７】
図５にも示されるように、スライダー５３と第２リンク５２とは、例えば、ガイドピン５６でベッド幅方向の軸線回りで回動自在に連結されている。ガイドピン５６は、例えば、補強材１９に設けられたガイド片５８の長穴に挿入されている。スライダー５３は、ベッド長手方向にのびる棒状であり、第１フレーム１５の近傍でやや下方に向けて折れ曲がって終端している。スライダー５３の他端には、ベッド幅方向の軸線回りで回動自在にレバー５４が連結されている。
【００４８】
レバー５４には、ベッド幅方向の両側にのびる軸部分５７が固着されている。各軸部分５７は、それぞれ、第１フレーム１５と第２フレーム１６とを連結している連結部１７の下部リンク３０に固着されている。
【００４９】
図９には、ベッド１から傾動フレーム６とアッパーフレーム７とを抜き出した要部側面図が示されている。図９に示されるように、アッパーフレーム７が、水平状態の傾動フレーム６上に固定されたときに、上記連結ピン５５は、押し部材１１の第２片１１Ｂに近接するか、第２片１１Ｂ上に実質的に接するように位置している。
【００５０】
上記リンク機構５０によれば、例えば、アクチュエータ３を駆動してそのロッド３Ｂを伸長させることにより、押し部材１１は、基軸部９に対して傾動し、その第２片１１Ｂが第１リンク５１と第２リンク５２とを繋ぐ連結ピン５５をベッド長手方向の頭部側に押す。これに伴い、スライダー５３が第１フレーム１５側に移動する。このスライダー５３の移動により、レバー５４が図において、時計回りに回動し、連結部１７の下部リンク３０を時計回りに回動させることができる。これにより、図１０に示されるように、第１フレーム１５のみを第２フレーム１６に対して、上昇することができる。
【００５１】
ダブルファンクションを具えたベッドは、通常、第１フレーム１５を持ち上げるためのリンク機構が必要になる。従来、このリンク機構は、一端が第１フレーム１５に、他端が固定フレーム２にそれぞれ回動自在に固定されている（上記特許文献１）。従って、ダブルファンクションのベッドからアッパーフレーム７を取り外す際には、リンク機構の取り外し作業もさらに必要となる。従って、作業者の負担が特に大きい。
【００５２】
これに対して、本実施形態のベッド１では、ダブルファンクションを実現するためのリンク機構５０は、アッパーフレーム７の中で完全に独立しており、傾動フレーム６や固定フレーム２とは切り離されており、アッパーフレーム７と傾動フレーム６とを固定したときに、傾動フレーム６側の押し部材１１で押されることで、作動可能に構成されている。従って、本実施形態のベッド１は、ダブルファンクションを有するベッド１においても、アッパーフレーム７の取り外し、取り付けを容易化することができる。
【００５３】
以上、本発明の特に好ましい実施形態について詳述したが、本発明は図示の具体的な実施形態に限定されることなく、種々の態様に変形して実施しうる。特に、リンク機構等については、同様の機能を奏するものであれば、種々の形態に変更して実施しうるのは、言うまでもない。
【符号の説明】
【００５４】
１  ベッド
２  固定フレーム
３  アクチュエータ
３Ａ  電動モータ
３Ｂ  ロッド
４  上半身寝台部
６  傾動フレーム
７  アッパーフレーム
９  基軸部
９Ａ  軸本体
９Ｂ  突部
１０  アーム部
１１  押し部材
１１Ａ  第１片
１１Ｂ  第２片
１５  第１フレーム
１６  第２フレーム
１７  連結部
【図１】
0006434891.tif 000002
【図２】
0006434891.tif 000003
【図３】
0006434891.tif 000004
【図４】
0006434891.tif 000005
【図５】
0006434891.tif 000006
【図６】
0006434891.tif 000007
【図７】
0006434891.tif 000008
【図８】
0006434891.tif 000009
【図９】
0006434891.tif 000010
【図１０】
0006434891.tif 000011